(57)【要約】【課題】棚板上に商品を陳列する場合や取出す際に仕切部材が位置ずれを生じることなく商品を整然と陳列することのできるショーケースの棚構造を提供する。【解決手段】棚板４１の後端側にガイド部材４３を設け、仕切部材４２の後端側に設けられた係止部４２ｃをガイド部材４３に係止するとともに、仕切部材４２の前端側に設けられた当接部４２ｄを棚板４１の前端側に設けられた商品落下防止板４１ｃの後方から当接させるようにしたので、仕切部材４２を棚板４１上に確実に取付けることができ、商品Ａの取出し及び商品Ａの補充する場合に仕切部材４２の位置ずれを生じることなく商品Ａを常に整然と陳列させることができる。【選択図】図７
2006130152.tif 000002
【特許請求の範囲】
【請求項１】
上面に商品を載置する棚板と、棚板上を幅方向に仕切る仕切部材とを備えたショーケースの棚構造において、
前記棚板の後端側に仕切部材の後端側を前方から係止する係止部材を設け、
仕切部材の後端側には係止部材に係止される係止部を設けるとともに、仕切部材の前端側には棚板の前端側から上方に突出する部分に後方から当接する当接部を設けた
ことを特徴とするショーケースの棚構造。
【請求項２】
前記棚板の前面側に棚板の幅方向に亘って上方に延びる商品落下防止板を設け、
前記仕切部材の当接部を商品落下防止板に後方から当接させるようにした
ことを特徴とする請求項１記載のショーケースの棚構造。
【請求項３】
前記仕切部材を棚板の前後方向に弾性変形可能なワイヤ状部材によって形成した
ことを特徴とする請求項１記載のショーケースの棚構造。
【請求項４】
前記ワイヤ状部材を、仕切部材の上側に位置する上方仕切部と、仕切部材の下側に位置する下方仕切部とが前後方向に交互に配置されるように形成した
ことを特徴とする請求項３記載のショーケースの棚構造。
【請求項５】
前記仕切部材を棚板の上面と下方仕切部との間に所定の隙間を有するように形成した
ことを特徴とする請求項４記載のショーケースの棚構造。
【請求項６】
前記仕切部材の係止部及び当接部の少なくとも一方を棚板の幅方向に延びるように形成した
ことを特徴とする請求項１、２、３、４または５記載のショーケースの棚構造。
【請求項７】
前記仕切部材を前後方向に所定の大きさ以上の力を加えることにより前後方向の長さを変更可能に形成した
ことを特徴とする請求項１、２、３、４、５または６記載のショーケースの棚構造。
【発明の詳細な説明】
【技術分野】
【０００１】
本発明は、スーパーマーケットやコンビニエンスストア等の店舗に設置されるショーケースの棚構造に関するものである。
【背景技術】
【０００２】
従来、この種のショーケースとしては、例えば前面を開口したショーケース本体と、ショーケース本体内に設けられた上下複数段の棚とを備え、各棚に商品を陳列するようにしたものが知られている（例えば、特許文献１参照）。
【０００３】
前記ショーケースの棚構造としては、上面に商品を載置する棚板と、棚板上を幅方向に仕切る複数の仕切部材とを備え、各仕切部材の間に商品を前後方向に載置することにより商品を整列させるようにしたものが知られている。
【特許文献１】特開２００２−６５４１４号公報
【発明の開示】
【発明が解決しようとする課題】
【０００４】
しかしながら、従来のショーケースの棚構造では、各仕切部材を前後方向に延びる断面Ｌ字状の樹脂製の部材によって形成し、その仕切部材を棚板上に固定することなく載置して棚板上を幅方向に仕切るようにしているため、棚板上に商品を陳列する場合や取出す場合に、仕切部材が位置ずれを生じやすく、商品を整然と陳列することができないという問題点があった。
【０００５】
本発明は前記問題点に鑑みてなされたものであり、その目的とするところは、棚板上に商品を陳列する場合や取出す際に仕切部材が位置ずれを生じることなく商品を整然と陳列することのできるショーケースの棚構造を提供することにある。
【課題を解決するための手段】
【０００６】
本発明は前記目的を達成するために、上面に商品を載置する棚板と、棚板上を幅方向に仕切る仕切部材とを備えたショーケースの棚構造において、前記棚板の後端側に仕切部材の後端側を前方から係止する係止部材を設け、仕切部材の後端側には係止部材に係止される係止部を設けるとともに、仕切部材の前端側には棚板の前端側から上方に突出する部分に後方から当接する当接部を設けている。
【０００７】
これにより、仕切部材の後端側に設けられた係止部が係止部材に係止されるとともに、前端側に設けられた当接部が棚板の前端側から上方に突出する部分に後方から当接することから、仕切部材が棚板上に位置ずれを生じることなく確実に取付けられる。
【発明の効果】
【０００８】
本発明によれば、仕切部材を棚板上に確実に取付けることができるので、商品の取出し及び商品の補充をする場合に仕切部材の位置ずれを生じることがなく、常に商品を整然と陳列することができる。
【発明を実施するための最良の形態】
【０００９】
図１乃至図８は本発明の一実施形態を示すもので、図１はショーケースの全体斜視図、図２はショーケースの側面断面図、図３は商品棚の要部斜視図、図４は商品棚の要部分解斜視図、図５乃至図７は仕切部材の取付け方法を示す商品棚の側面断面図、図８は商品を積み重ねた状態を示す商品棚の側面断面図である。
【００１０】
この棚構造を備えたショーケースは、前面に開口部を有するショーケース本体１０と、ショーケース本体１０内に形成された商品収納部２０と、ショーケース本体１０の下部に形成された機械室３０とから構成されている。
【００１１】
ショーケース本体１０は、機械室３０を除く前面側、上面側、背面側及び底面側を断熱壁１１によって覆われるとともに、左右両側面側をそれぞれ略コ字状の断熱壁１２とガラス板１３によって覆われている。
【００１２】
商品収納部２０は、断熱壁１１と間隔をおいて設けられた上面板２１、背面板２２及び底板２３によって形成され、その内部に商品Ａを収納するようになっている。また、断熱壁１１と上面板２１、背面板２２及び底板２３との間には通風路２４が形成され、その内部には商品収納部２０内の空気を流通させる送風機２５と、通風路２４内を流通する空気を冷却する冷却器２６が配置されている。
【００１３】
機械室３０には、通風路２４内の冷却器２６と冷媒配管によって接続された圧縮機３１及び凝縮器３２と、凝縮器３２と機械室３０内の空気とを熱交換させる凝縮器用送風機３３とを備え、これらの機器によって冷凍サイクルを構成するようになっている。
【００１４】
このように構成されたショーケースにおいて、送風機２５によって開口部下端に設けられた空気吸入口２４ａから吸入された空気は、通風路２４内を流通して冷却器２６によって冷却された後、開口部の上端に設けられた空気吐出口２４ｂから吐出される。これにより、ショーケース本体１０の開口部にはエアカーテンが形成されるとともに、商品収納部２０内が冷却される。
【００１５】
また、ショーケースの商品収納部２０に取付けられる商品棚４０は、商品Ａを載置する棚板４１と、棚板４１上を幅方向に仕切る複数の仕切部材４２と、仕切部材４２の後端側を係止する係止部材としてのガイド部材４３とを備えている。
【００１６】
棚板４１は、略矩形状に形成され、幅方向両端側を支持する幅方向一対の棚受４１ａを介して商品収納部２０内に取付けられるようになっている。また、棚板４１の前端側には、プライスカード等を保持するカード保持部４１ｂが棚板４１の幅方向に亘って設けられるとともに、商品Ａの落下を防止する商品落下防止板４１ｃが棚板４１の幅方向に亘って設けられている。
【００１７】
各仕切部材４２は、前後方向に延びる弾性を有する金属製のワイヤ状部材からなり、ワイヤ状部材を上下方向に波形に屈曲することにより仕切部材４２の上側に位置する上方仕切部４２ａと仕切部材４２の下側に位置する下方仕切部４２ｂとが前後方向に交互に配置されるように形成されている。また、仕切部材４２の前端側及び後端側を下方に延びるように形成することにより、棚板４１の上面と下方仕切部４２ｂとの間に所定の隙間が設けられている。更に、仕切部材４２の後端部には、幅方向に延びるワイヤ状部材の幅方向中央部が固定され、ガイド部材４３に係止される係止部４２ｃが形成されている。また、仕切部材４２の前端部には、幅方向に延びるワイヤ状部材の幅方向中央部が固定され、商品落下防止板４１ｃの背面側と当接する当接部４２ｄが形成されている。このとき、仕切部材４２の係止部４２ｃから当接部４２ｄまでの長さは、商品落下防止板４１ｃの背面側とガイド部材４３との距離よりも大きくなるように形成され、商品落下防止板４１ｃの背面側とガイド部材４３との距離よりも小さくなるまで弾性変形可能に設けられている。また、仕切部材４２の前後方向に所定の大きさ以上の力を加えることにより、ワイヤ状部材の塑性変形によって仕切部材４２の係止部４２ｃから当接部４２ｄまでの長さを任意に変更できるようになっている。
【００１８】
ガイド部材４３は幅方向に延びる板状の部材からなり、棚板４１の後端側の幅方向に亘って設けられている。ガイド部材４３の上端側には前方に向かって延びる延出部４３ａが形成され、延出部４３ａと棚板４１の上面との間に仕切部材４２の係止部４２ｃが係止されるようになっている。
【００１９】
以上のように構成されたショーケースの棚構造において、棚板４１上に各仕切部材４２を取付ける場合には、図５に示すように、各仕切部材４２の係止部４２ｃをガイド部材４３の延出部４３ａと棚板４１の後端側の上面との間に挿入して係止した後、図６に示すように、仕切部材４２を弾性変形によって前後方向に圧縮して当接部４２ｄを商品落下防止板４１ｃの背面側に当接させる。これにより、仕切部材４２は係止部４２ｃ及び当接部４２ｄによって棚板４１の前端側及び後端側に対して直角に棚板４１上に配置され、図７に示すように、仕切部材４２間に商品Ａが整列して配置される。このとき、高さ寸法の小さい商品Ａは、下方仕切部４２ｂによって幅方向の移動が規制され、前後方向に整列させることが可能となる。また、高さ寸法の小さい商品Ａを上下方向に複数積み重ねて棚板４１上に載置する場合には、図８に示すように、下方仕切部４２ｂによって下側の商品Ａの幅方向への移動が規制され、上方仕切部４２ａによって上側の商品Ａの幅方向への移動が規制されることにより、上下方向に積み重ねた状態で商品Ａを前後方向に整列させることが可能となる。更に、棚板４１上に商品Ａが載置されている場合においても、商品Ａの間に仕切部材４２を挿入することにより取付けることが可能となる。
【００２０】
また、棚板４１上を清掃する場合には、載置されている商品Ａを取り除いて棚板４１の上面と下方仕切部４２ｂとの間に設けられた隙間から棚板４１の上面全体の清掃を行うことが可能となる。
【００２１】
また、棚板４１上を化粧用のシートで覆う場合に、仕切部材４２は係止部４２ｃ及び当接部４２ｄによって棚板４１に取付けられていることから、シートの上から仕切部材４２を取付けることが可能となる。
【００２２】
また、前後方向の寸法が異なる棚板４１に仕切部材４２を取付ける場合は、仕切部材４２の前後方向に所定の大きさ以上の力を加えることによりワイヤ状部材を塑性変形させて仕切部材４２の前後方向の寸法を変更し、仕切部材４２を棚板４１に取付ける。
【００２３】
このように、本実施形態によれば、棚板４１の後端側にガイド部材４３を設け、仕切部材４２の後端側に設けられた係止部４２ｃをガイド部材４３に係止させるとともに、仕切部材４２の前端側に設けられた当接部４２ｄを棚板４１の前端側に設けられた商品落下防止板４１ｃの後方から当接させるようにしたので、仕切部材４２を棚板４１上に確実に取付けることができ、商品Ａの取出し及び商品Ａの補充を行う場合に仕切部材４２の位置ずれを生じることなく商品Ａを常に整然と陳列させることができる。
【００２４】
また、仕切部材４２の当接部４２ｄを棚板４１に設けられた商品落下防止板４１ｃの後方から当接させるようにしたので、専用の部材を用いることなく仕切部材４２の当接部４２ｄを棚板４１の前端側に当接させることができ、製造コストの低減を図ることができる。
【００２５】
また、仕切部材４２を弾性変形可能なワイヤ状部材によって形成したので、単一の部材によって仕切部材４２を形成することができ、製造コストの低減を図ることができるとともに、ワイヤ状部材の弾性によって当接部４２ｄを商品落下防止板４１ｃに圧接させることができ、仕切部材４２を確実に取付けることができる。更に、ワイヤ状部材を屈曲することによって仕切部材４２が形成されていることから、仕切部材４２を通じて左右両側面側から商品Ａを目視により確認することができるとともに、従来の樹脂製からなる仕切部材のように静電気による汚れの付着がないという利点もある。
【００２６】
また、ワイヤ状部材を前後方向に亘って上下方向に波形に屈曲させることにより、仕切部材４２に上方仕切部４２ａ及び下方仕切部４２ｂを設けたので、商品Ａの高さ寸法に拘らず商品Ａの幅方向の移動を規制することができ、棚板４１に載置した商品Ａを確実に整列させることができる。
【００２７】
また、棚板４１の上面と下方仕切部４２ｂとの間に間隔を有するように仕切部材４２を形成したので、仕切部材４２を取外すことなく棚板４１の上面の清掃を行うことができる。
【００２８】
また、仕切部材４２の係止部４２ｃ及び当接部４２ｄを幅方向に延びるワイヤ状部材によって形成したので、係止部４２ｃ及び当接部４２ｄをそれぞれガイド部材４３及び商品落下防止板４１ｃに沿って取付けることができ、仕切部材４２を棚板４１の長手方向に対して直角に配置することができる。
【００２９】
また、仕切部材４２に所定の大きさ以上の力を加えることにより、ワイヤ状部材を塑性変形させて仕切部材４２の前後方向の寸法を変更可能にしたので、仕切部材４２の前後方向の寸法を棚板４１の前後方向の寸法に応じて変更することができ、部品の共通化を図ることができる。
【００３０】
尚、前記実施形態では、前面を開口したオープンショーケースの棚構造を示したが、例えば前面、背面及び左右両側面を透明ガラスによって覆われたクローズドショーケースなど、他の形態のショーケースに本発明を適用することができる。
【００３１】
また、前記実施形態では、ワイヤ状部材４２を波形に屈曲することにより仕切部材に上方仕切部４２ａ及び下方仕切部４２ｂを前後方向に交互に設けたものを示したが、図９に示すように、ワイヤ状部材をクランク状に屈曲することにより仕切部材５２を形成することにより、上方仕切部５２ａ及び下方仕切部５２ｂを前後方向に交互に設けてもよい。
【００３２】
また、前記実施形態では、仕切部材４２の係止部４２ｃ及び当接部４２ｄを幅方向に延びるワイヤ状部材によって形成したものを示したが、係止部４２ｃ及び当接部４２ｄのどちらか一方のみを幅方向に延びるワイヤ状部材によって形成するようにしてもよい。この場合、係止部４２ｃまたは当接部４２ｄの一方によって仕切部材４２を棚板４１の長手方向に対して直角に配置することができる。
【００３３】
また、前記実施形態では、仕切部材４２の当接部４２ｄを棚板４１の前端側に設けられた商品落下防止板４１ｃに後方から当接させるようにしたものを示したが、棚板４１の前端側に棚板４１の幅方向に亘って当接部４２ｄが当接する突出部を形成してもよいし、棚板４１の前端側に棚板４１の幅方向に亘って当接部４２ｄが当接する当接部材を設けてもよい。
【図面の簡単な説明】
【００３４】
【図１】ショーケースの全体斜視図
【図２】ショーケースの側面断面図
【図３】商品棚の要部斜視図
【図４】商品棚の要部分解斜視図
【図５】仕切部材の取付け方法を示す商品棚の側面断面図
【図６】仕切部材の取付け方法を示す商品棚の側面断面図
【図７】仕切部材の取付け方法を示す商品棚の側面断面図
【図８】商品を積み重ねた状態を示す商品棚の側面断面図
【図９】その他の例を示す商品棚の要部斜視図
【符号の説明】
【００３５】
４０…商品棚、４１…棚板、４１ｃ…商品落下防止板、４２…仕切部材、４２ａ…上方仕切部材、４２ｂ…下方仕切部材、４２ｃ…係止部、４２ｄ…当接部、４３…ガイド部材、Ａ…商品。
【図１】
2006130152.tif 000003
【図２】
2006130152.tif 000004
【図３】
2006130152.tif 000005
【図４】
2006130152.tif 000006
【図５】
2006130152.tif 000007
【図６】
2006130152.tif 000008
【図７】
2006130152.tif 000009
【図８】
2006130152.tif 000010
【図９】
2006130152.tif 000011